【事件の表示】
　商願２００３−　７４０１１拒絶査定不服審判事件について、次のとおり審決する。
【結　論】
　本件審判の請求は、成り立たない。
【理　由】
第１　本願商標
　本願商標は、「Ｖｉｓｕａｌ　Ｎｅｔｗｏｒｋ」の文字を標準文字により表してなり、第９類「耳栓，加工ガラス（建築用のものを除く。），アーク溶接機，金属溶断機，電気溶接装置，オゾン発生器，電解槽，検卵器，金銭登録機，硬貨の計数用又は選別用の機械，作業記録機，写真複写機，手動計算機，製図用又は図案用の機械器具，タイムスタンプ，タイムレコーダー，パンチカードシステム機械，票数計算機，ビリングマシン，郵便切手のはり付けチェック装置，自動販売機，ガソリンステーション用装置，駐車場用硬貨作動式ゲート，救命用具，消火器，消火栓，消火ホース用ノズル，スプリンクラー消火装置，火災報知機，ガス漏れ警報器，盗難警報器，保安用ヘルメット，鉄道用信号機，乗物の故障の警告用の三角標識，発光式又は機械式の道路標識，潜水用機械器具，業務用テレビゲーム機，電動式扉自動開閉装置，乗物運転技能訓練用シミュレーター，運動技能訓練用シミュレーター，理化学機械器具，写真機械器具，映画機械器具，光学機械器具，測定機械器具，配電用又は制御用の機械器具，回転変流機，調相機，電池，電気磁気測定器，電線及びケーブル，電気アイロン，電気式ヘアカーラー，電気ブザー，電気通信機械器具，電子応用機械器具及びその部品，磁心，抵抗線，電極，消防艇，ロケット，消防車，自動車用シガーライター，事故防護用手袋，防じんマスク，防毒マスク，溶接マスク，防火被服，眼鏡，家庭用テレビゲームおもちゃ，携帯用液晶画面ゲームおもちゃ用のプログラムを記憶させた電子回路及びＣＤ−ＲＯＭ，スロットマシン，ウエイトベルト，ウエットスーツ，浮袋，運動用保護ヘルメット，エアタンク，水泳用浮き板，レギュレーター，レコード，メトロノーム，電子楽器用自動演奏プログラムを記憶させた電子回路及びＣＤ−ＲＯＭ，計算尺，映写フィルム，スライドフィルム，スライドフィルム用マウント，録画済みビデオディスク及びビデオテープ，電子出版物」を指定商品として、平成１５年８月２８日に登録出願されたものである。
　
第２　原査定における拒絶理由
　原査定は、「本願商標は、『視覚によるネットワーク』を意味し指定商品中の『ネットワーク用機器』との関係において商品の品質表示『視覚によるネットワーク用機器』のように認識され、同様の意味合いで一般に使用されている『ビジュアルネットワーク』の英語『Ｖｉｓｕａｌ　Ｎｅｔｗｏｒｋ』の文字を普通に用いられる方法で書してなるから、これをその指定商品中、例えば『視覚によるネットワーク用携帯情報端末装置・簡易動画遠隔監視システム装置』に使用するときは、単に商品の品質について普通に用いられる方法で表示する標章のみからなる商標といわなければならない。したがって、本願商標は、商標法第３条第１項第３号に該当し、前記商品以外の商品に使用するときは、商品の品質の誤認を生じさせるおそれがあるので、同法第４条第１項第１６号に該当する。」旨認定、判断し、本願を拒絶したものである。
　
第３　当審における証拠調べ通知
　当審において、請求人（出願人）に対し、平成１７年１月２８日付けをもって、本願商標が、商標法第３条第１項第３号及び同法第４条第１項第１６号に該当するか否かについて、職権に基づく証拠調べを行ったところ、その要旨は次のとおりである。
１　本願商標からは、請求書でも指摘のとおり「視覚可能なネットワーク」といった意味合いを想起するというのが相当である。 
２　当審で行った新聞・インターネット等の調査によれば、近年、各種の映像機器・電気通信機器・電子応用機械器具等を用い、インターネットを通じて、遠隔地の画像をリアルタイムで伝送し視覚によってモニタリングできるシステムが「ビジュアルネットワーク」「Ｖｉｓｕａｌ　Ｎｅｔｗｏｒｋ」と称され、店舗監視・金融機関ATM-CD監視・鉄道業務監視・消防高所カメラ・工場生産ライン監視・大会議システム等様々な場面において採用されている事実が発見される（証拠資料（１）〜（１５）参照）。 
　証拠資料
（１）２００４．９．３電気新聞９面 
　中部電力は・・全社防災訓練を実施した。・・同社のテレビ会議システム「
ビジュアルネットワーク
（２）２０００．１１．２４日本食糧新聞 
　全日食グループ・・は、１５日に開催したチェーン大会で第七次五カ年計画第三年度のキーワードを「興」と決め、七つのスローガンを打ち出した。・・「興」はおこす、はじめるの意。具体的な内容は（１）全日食におけるチェーンルネッサンス。・・（３）Ｚ−ＯＮＥを背景にしたＩＴ革新。リアルタイム、
ビジュアルネットワーク
（３）２０００．５．１５東京新聞１４面 
　トヨタ自動車の
ビジュアルネットワーク
（４）１９９８．２．１８日本工業新聞４面 
　防犯・防災システム機器の専門メーカー、竹中エンジニアリング・・は、ＩＳＤＮ（総合デジタル通信網）回線を通じて業界最高水準の一秒間に最大十五コマの高品位画像と音声を遠隔地に伝送する「動画伝送システムＴＣ−５０００シリーズ」を十九日から発売する。・・送信機に受信機十カ所の電話番号を登録、センサー信号の種類や時間の設定された場所へオートダイヤルできる。また、受信機一台で最大三百カ所の現場を一元管理できる
ビジュアルネットワーク
（５）１９９７．９．１　Ｍｅｄｉｃａｌ＆Ｔｅｓｔ　Ｊｏｕｒｎａｌ　１１頁 
　池上通信機は９月１０〜１２日、東京・青山のTEPIAで同社の産業映像機器・システムを一堂に介した産業映像展を開催する。
ビジュアルネットワーク
（６）１９９５．８．２５東京新聞夕刊３面 
　人気ポップグループ「ドリームズ・カム・トウルー」が二十七日、グリーンスタジアム神戸に阪神大震災の被災者約二万五千人を無料招待し、大阪公演を通信衛星で中継する映像ライブコンサートを行う。・・「
ビジュアルネットワーク
（７）１９９１．８．２３日刊工業新聞１４面 
　関西電力は二十二日、二〇一〇年をターゲットに入れた新しいコンピューター利用のマスタープランを策定、発表した。・・コンピューターの二十四時間オンライン運用技術の確立や
ビジュアルネットワーク
（８）http://www.aisan.co.jp/products/network_meeting.html［グループ・テレビ会議システム・・ＰＯＬＹＣＯＭ] 
　ハイパフォーマンスなビジュアルコミュニケーションシステム　業界をリードするポリコムViewStationは繊細でクリアな映像・音声を配信する、ビジュアルコミュニケーションツールです。　革新的なコーデック技術は映像伝達の遅延を最小限にとどめ、独自のアコースティック・クラリティ・オーディオテクノロジーは部屋の大きさに関係なく、クリアなサウンドを提供します。　あたかも目の前で話をしているような、ごく自然で、リアルな通話が実現できます。　＜
ビジュアル・ネットワーク
（８の２）http://www.nttvics.co.jp/eizo/sitool/top.html 
　View Station　POLYCOM社製テレビ会議装置　Visual Network Solution　View Stationで提案する
ビジュアルネットワーク
（９）http://www.spsj.or.jp/c7/c00/g0010.html　［高分子学会］ 
　２０００年１０月主催行事・・第３１回高分子錯体研究会講座　主題＝ＩＴ革命を支える材料部品技術の最先端−モバイルゼルと
ビジュアルネットワーク
（１０）http://www.nri-aitd.com/sche2003.html　［ＮＲＩ　ＩＴコロキウム　スケジュール］ 
　第１３回：１月２２日（木）「
ビジュアルネットワーク
（１１）http://wwwsoc.nii.ac.jp/iieej/trans/04yoteii.htm　［画像電子学会］ 
　Advanced Image Seminer 2004　４月２３日（金）　・・テーマ　
ビジュアル・ネットワーク
（１１の２）http://wwwsoc.nii.ac.jp/iieej/trans/KATSUDONAIYO.html　［画像電子学会］ 
　セミナー　最新の技術動向、注目すべき分野について開催しております。最近の開催状況は以下の通りです。  
　Advanced Image Seminar 2004 (２００４年４月 ) 
ビジュアル・ネットワーク
（１２）http://www.chuden.co.jp/torikumi/kenkyu/news/pdf/044/N04426.pdf　［中部電力・内外ニュース］ 
　ビジュアル・ネットワーク　動画像を利用した情報交換網　動画像に代表されるビジュアル情報は、状況を直観的に理解・把握ができる。このビジュアル情報を任意の地点間に伝送できる
ビジュアル・ネットワーク
（１３） http://www.ndtc.co.jp/index.html、http://www.ndtc.co.jp/index2.html［日興電機通信株式会社］ 
　
Visual Nework
　ＴＶ映像は、放送局から飛び出しCCTVへ、そしてFA・画像処理へと用途を広げながら発展しています。　いま私たちはその広がりにネットワークを融合させ、
Visual Network
・・・・・ 
　
Visual Network
Visual Network
（１４）http://www.cisco.com/japanese/warp/public/3/jp/specialprog/avvidprog/partner/part_find/Security_and_VPN/catalog/secur-solsoft.shtml　［SolSoft, Inc.］ 
　製品紹介　
ビジュアルネットワーク
（１５）http://panasonic.biz/broad/report/m_pdf/m_003.pd　［Panasonic System Report：松下電器産業株式会社］ 
　飛騨・世界生活文化センター様　大容量サーバーを中心に構築したネットワークシステムが音と映像のデジタルコンテンツの制作・編集から送出までをサポート　納入システム　
ビジュアルネットワーク
３　これよりすれば、本願商標を本願指定商品中当該ネットワークシステムに用いられる写真機械器具、電気通信機械器具、電子応用機械器具及びその部品等に使用するときは、単に商品の品質、用途等を表示するにすぎないとするのが相当である。
　
第４　当審の判断
　当審において、請求人（出願人）に対し上記の証拠調べ通知を送付し、相当の期間を指定して意見書を提出する機会を与えたが、請求人からは何らの意見、応答もなかった。
　そして、上記の証拠調べ通知によって示したとおり、「Ｖｉｓｕａｌ　Ｎｅｔｗｏｒｋ」の文字よりなる本願商標をその指定商品中「写真機械器具、電気通信機械器具、電子応用機械器具及びその部品」等に使用した場合、これに接する取引者・需要者は、上記実情から該商品が「ビジュアルネットワークシステムに用いられる写真機械器具、電気通信機械器具、電子応用機械器具及びその部品」等であること、すなわち、その商品の品質、用途等を表示したにすぎないものと認識し、理解するにとどまり、自他商品の識別標識としての機能を有するものとは認識し得ないというのが相当である。また、本願商標を前記商品以外の商品に使用するときは、その商品の品質について誤認を生じさせるおそれがあるものといわなければならない。
　したがって、本願商標が商標法第３条第１項第３号及び同法第４条第１項第１６号に該当するとして、本願を拒絶した原査定は妥当なものであって、これを取り消すことはできない。
　よって、結論のとおり審決する。